(57)【要約】【課題】少ないスペースで施工することができ、かつ大量の雨水にも確実に対応できるようにした、より改良された浸透管付き側溝を得る。【解決手段】雨水を受け入れる側溝２０と側溝内に雨水流入部３２を持つ垂直方向に伸びる浸透管３０とを備えた浸透管付き側溝１０において、浸透管付き側溝１０は側溝２０内の雨水が流入可能な浸透槽４０をさらに備える。そして、側溝２０と浸透槽４０とは雨水流入管５０により接続されており、雨水流入管５０の側溝２０への接続部５１は、側溝２０に接続する浸透管３０の雨水流入部３２よりも上位に位置している。【選択図】図１
2010185222.tif 000002
【特許請求の範囲】
【請求項１】
雨水を受け入れる側溝と前記側溝内に雨水流入部を持つ垂直方向に伸びる浸透管とを備えた浸透管付き側溝であって、
前記側溝内の雨水が流入可能な浸透槽をさらに備え、前記側溝と前記浸透槽とは雨水流入管により接続されており、前記雨水流入管の前記側溝への接続部は前記側溝に接続する浸透管の前記雨水流入部よりも上位に位置していることを特徴とする浸透管付き側溝。
【請求項２】
前記雨水流入管は、前記側溝への接続部から上方に向かう部分と前記上方に向かう部分の端部から下方に向かう部分とで構成されていることを特徴とする請求項１に記載の浸透管付き側溝。
【請求項３】
前記浸透管は雨水流入側が二重管構造となっており、内側の管は周壁に浸透孔のないめくら管であることを特徴とする請求項１または２に記載の浸透管付き側溝。
【請求項４】
前記浸透管および雨水流入管の雨水入り口にはフィルタが取り付けられていることを特徴とする請求項１ないし３のいずれか一項に記載の浸透管付き側溝。
【発明の詳細な説明】
【技術分野】
【０００１】
本発明は、浸透管付き側溝に関する。
【背景技術】
【０００２】
車道や駐車場、グランドなどに溜まる雨水を処理するために、道路端部等に側溝を設置することが行われる。また、側溝に流入した雨水等を河川に運び込むだけでなく、側溝付近の地中に雨水を浸透させるようにした側溝も知られており、特許文献１には、側溝の一部である集水桝の底部に、周壁に複数の浸透孔を有する浸透管を地中垂直方向に配置した浸透管付き側溝が記載されている。また、特許文献２には、集水桝と雨水を貯留する槽とを備え、雨水を貯留槽に導入する際、水平方向に配置した浸透管を経由して導入するようにした浸透管付き槽が記載されている。
【０００３】
また、地中に比較的中小規模の浸透貯水槽を構築する場合や、浸透貯水槽を設置する場所の地盤が軟弱地盤の場合に、樹脂材料からなる貯水空間形成部材を多段に積み上げ、その周囲を透水シートで覆って浸透槽とすることも知られている（例えば、特許文献３，４等）。
【先行技術文献】
【特許文献】
【０００４】
【特許文献１】特開２００６−１１８２６５号公報
【特許文献２】特開２００２−２６６４１４号公報
【特許文献３】特開平１１−３６３８３号公報
【特許文献４】特開２００８−８０７５号公報
【発明の概要】
【発明が解決しようとする課題】
【０００５】
特許文献１に記載される形態の浸透管付き側溝は、雨水の一部を地中に浸透させることで、街路樹への給水等も行うことができる利点がある。しかし、浸透管の浸透量を超える雨水を処理することができないので、短時間で大量の雨が降ったようなときに、多くの雨水を下流へ流し出してしまうか、もしくは雨水が側溝から溢れ出るのを避けられない。特許文献２に記載の浸透管付き槽構造を側溝に用いる場合には、雨水を槽内に一時的に貯留できる利点がある。しかし、浸透管を水平方向に配置するための広い設置面積を必要とするので、道路脇に設置する側溝構造としては適切でない。また、一時的に大量の雨水が浸透管内に流入したときに、浸透管内にすでに堆積している砂等を槽内へ押し流す恐れもあり、その場合、槽内に堆積した砂等の堆積物を除去するための困難なメンテナンス作業が必要となる。
【０００６】
本発明は、上記のような事情に鑑みてなされたものであり、短時間で大量の雨が降った場合でも、雨水を下流に流し出すことなく適切に処理することができ、かつ砂等の堆積物が内部に堆積した場合でも、容易にそれを除去することができ、それによりメンテナンス作業を簡素化することもできる、より改良された浸透管付き側溝を提供することを課題とする。
【課題を解決するための手段】
【０００７】
本発明による浸透管付き側溝は、雨水を受け入れる側溝と前記側溝内に雨水流入部を持つ垂直方向に伸びる浸透管とを備えた浸透管付き側溝であって、前記側溝内の雨水が流入可能な浸透槽をさらに備え、前記側溝と前記浸透槽とは雨水流入管により接続されており、前記雨水流入管の前記側溝への接続部は前記側溝に接続する浸透管の前記雨水流入部よりも上位に位置していることを特徴とする。
【０００８】
本発明による浸透管付き側溝では、雨水の量が少ない場合には、側溝に流入する雨水は浸透管に入り込み、そこから地中に浸透していく。大量の雨水が側溝に流入し、浸透管での処理量を超えたときには、超えた分の雨水は、雨水流入管を通って浸透槽内に流入する。それにより、大量の雨水が下流に流れること、あるいは側溝を超えて溢れ出ることを回避することができる。
【０００９】
また、本発明による浸透管付き側溝では、前記雨水流入管の側溝への接続部は、側溝に接続する前記浸透管の雨水流入部よりも上位に位置しているので、結果的に浸透管を溢流した雨水（溢流水）が浸透槽に流入することとなる。そのために、雨水中に含まれる砂等が雨水とともに浸透槽に流入するのを効果的に阻止することができる。
【００１０】
浸透管内に砂等の堆積物が堆積し、雨水が地中へ浸透する機能が低下したときには、垂直方向に伸びる浸透管内に真空引きできる吸引管を挿入することで、容易に浸透管内を清掃することができる。前記のように、雨水を一時的に貯留する浸透槽内に砂等が入り込むのは抑制されるので、浸透槽の清掃作業はほぼ不必要であり、全体としてのメンテナンス作業は容易である。
【００１１】
さらに、本発明による浸透管付き側溝では、施工に際して、側溝と当該側溝内の雨水が流入可能な浸透槽とを設置するスペースを実質的に確保できればよく、スペース的にも有利である。
【００１２】
本発明による浸透管付き側溝の好ましい態様において、前記雨水流入管は、前記側溝への接続部から上方に向かう部分と前記上方に向かう部分の端部から下方に向かう部分とで構成されていることを特徴とする。この態様では、雨水中の砂等が前記浸透槽内に入り込むのを一層確実に阻止することができる。
【００１３】
本発明による浸透管付き側溝の好ましい態様において、前記浸透管は雨水流入側が二重管構造となっており、内側の管は周壁に浸透孔のないめくら管であることを特徴とする。浸透管には周壁に複数の浸透孔を有する管が用いられるが、上記の態様では、二重管を構成する内側管は周壁に浸透孔のない管を用いる。この態様では、砂等を含んだ雨水をそのまま内側管下端まで送り込むことができ、浸透管の入り口部分の周壁に砂等が堆積するのを回避することができる。それにより、雨水中の砂等が前記浸透槽内に入り込むのを一層確実に阻止することができる。
【００１４】
本発明による浸透管付き側溝の好ましい態様において、前記浸透管および雨水流入管の雨水入り口にはフィルタが取り付けられる。フィルタはビニール袋や落ち葉などの大きなゴミが浸透管および雨水流入管に入り込むのを阻止するのを主たる目的とするものであり、雨水の流れに対して大きな抵抗とならないメッシュのものが望ましい。フィルタが水の流れに対して大きな抵抗を持つと、浸透管および雨水流入管への雨水の流入が滞ってしまい、雨水が溢れ出る恐れがあるので好ましくない。
【００１５】
なお、本発明において「浸透槽」とは、槽内に一旦貯留した水が周囲の浸透性シートを通過して地中に自然排出される構成の槽を総称しており、浸透槽の内部構造は任意である。一例として、樹脂製の貯水空間形成部材を多段に積み上げて形成し、全体を不織布のような浸透シートで覆ったものが挙げられる。なお、前記した樹脂製の貯水空間形成部材には、例えば上記した特許文献３あるいは４に記載されるような、従来の地中貯水槽を形成するのに用いられている樹脂製の貯水空間形成部材を適宜用いることができる。
【発明の効果】
【００１６】
本発明によれば、少ないスペースで施工することができ、かつ大量の雨水にも確実に対応できるようにした、より改良された浸透管付き側溝が得られる。
【図面の簡単な説明】
【００１７】
【図１】本発明による浸透管付き側溝の一形態を示す模式的図。
【図２】本発明による浸透管付き側溝の他の形態を示す模式的図。
【図３】本発明による浸透管付き側溝のさらに他の形態を示す模式的図。
【図４】浸透管付き側溝をメンテナンスするときの作業態様の一例を説明する図。
【図５】浸透槽を構成する樹脂製の貯水空間形成部材の一例を示す図。
【発明を実施するための形態】
【００１８】
以下、図面を参照しながら、本発明を実施の形態に基づき説明する。図１〜図３は本発明による浸透管付き側溝の異なる形態をそれぞれ示しており、図４は浸透管付き側溝をメンテナンスするときの作業態様の一例を示している。また、図５は浸透槽を構成する樹脂製の貯水空間形成部材の一例を示している。
【００１９】
図１に示す浸透管付き側溝１０において、浸透管付き側溝１０は、断面Ｕ字状の側溝２０と、前記側溝２０内に雨水流入部としての開口部３２を持つ垂直方向に伸びる浸透管３０と、浸透槽４０と、前記側溝１０と前記浸透槽４０とを接続する雨水流入管５０とを備える。
【００２０】
断面Ｕ字状の側溝２０は従来知られたものであってよい。周囲の環境によっては、透水性のコンクリートで作られた側溝を用いることもできる。側溝２０の底部には、側溝の路線方向（図１で紙面に垂直な方向）に沿い所定の間隔をおいて、前記した複数本の浸透管３０が取り付けられている。各浸透管３０は、周壁に多数の浸透孔３１を有しており、浸透管３０内に入り込んだ雨水は、該浸透孔３１を通って地中に浸透していく。各浸透管３０の雨水流入部としての上端側の開口部３２は、Ｕ字型側溝２０の流水空間内、すなわち側溝２０の底面から所要距離Ｓだけ上昇した箇所に位置している。
【００２１】
前記浸透管３０は、耐食性と所要の耐圧縮性を備えることを条件に適宜の材料で作ることができる。例として、樹脂管、繊維強化樹脂管、ステンレス等の金属管などが挙げられる。
【００２２】
前記浸透槽４０は、雨水を一時的に貯留でき、かつ時間とともに貯留水を地中に浸透させることができる形態のものであれば任意のものを用いることができる。この例では、図５に示すように、樹脂製の貯水空間形成部材４１の多数枚を積層した積層体４５を用い、その周囲を不織布のような透水性シート４６で覆うことによって、浸透槽４０を形成している。なお、図１において、４７は浸透槽４０を安定させるための砕石等からなる基礎材である。また、前記浸透槽４０は、側溝２０に近接した場所に、側溝２０の路線方向に所定の間隔をおいて必要個数が地中に設置される。
【００２３】
図示の例において、前記貯水空間形成部材４１は、多数枚の縦方向構造体４２が断面ハ字状にかつ山形をなすようにして連続した形状をなしている。貯水空間形成部材４１は、全体としての上面と下面は実質的に平行をなしており、隣接する縦方向構造体４２の上端縁同士は、長手方向に凹部と凸部を有する上端面４３で接続し、下端縁同士は、上端面４３に形成された凸部の領域が入り込むことのできる開口を有する下端面で連続している。貯水空間形成部材４１は、図５に示すように、９０度向きを変えながら多段に積み上げられて積層体４５とされ、積層体４５における各縦方向構造体４２の間に存在する空間が貯水空間として利用される。
【００２４】
前記側溝２０と前記した各浸透槽４０とは前記雨水流入管５０により接続される。その際に、雨水流入管５０が前記側溝２０に接続する接続部５１が、図１に示すように、側溝２０に接続した前記浸透管３０の雨水流入部である上端開口部３２よりも上位に位置するように接続する。雨水流入管５０の他方端は各浸透槽４０の上面の適宜位置に接続すればよい。
【００２５】
図１に示す例において、雨水流入管５０は、側溝２０への接続部５１から上方に向かう部分５２と該上方に向かう部分５２の端部から下方に向かう部分５３とで構成されており、下方に向かう部分５３の下端が浸透槽４０の上面に接続している。
【００２６】
次に、図１に示した浸透管付き側溝１０を例にとり、雨水の処理態様を説明する。この浸透管付き側溝１０において、路面等から側溝２０内へ流れ込む雨水の量がわずかの場合には、側溝２０の底面を這うようにして下流に流れていく。雨水の量が多くなり、水位が浸透管３０の上端開口部３２を超えると、その溢流水は、浸透管３０内に流入し、浸透管３０の周壁に形成した浸透孔３１を通って、および浸透管３０の開放した下端から、地中に浸透していく。雨水に入り込んでいる砂のような固形物は、側溝２０の底部に堆積するか、前記浸透管３０の内周壁に堆積する。
【００２７】
浸透管３０の処理量よりも多くの量の雨水が側溝２０に流入すると、側溝２０内の水位レベルはさらに上昇していく。水位が前記雨水流入管５０の最上位レベルを超えると、側溝２０内の雨水における、前記雨水流入管５０が側溝２０に接続する接続部５１を超える雨水は、雨水流入管５０を通って浸透槽４０内に流入し、そこに貯留される。それにより、大量の雨水が下流側に流下すること、あるいは側溝２０を溢流して路面に流出することを回避することができる。また、浸透槽４０内には溢流水のみが流入するので、雨水中に混じっている砂等の固形物が浸透槽４０内に入り込むことはない。そして、浸透槽４０内に貯留された雨水は、透水性シート４６を通って時間をかけて徐々に地中に浸透していき、浸透槽４０内は空の状態となり、次の降雨に備える。
【００２８】
長日数が経過することにより、雨水に含まれる砂やゴミ等の固形物が、前記した浸透管３０内に多く堆積した状態となり、浸透管３０としての機能を喪失する。そのときには、そのような堆積物を除去する作業、すなわち、浸透管付き側溝１０のメンテナンス作業が必要となる。本発明による浸透管付き側溝１０では、浸透管３０がほぼ垂直方向に地中に延出していること、さらに雨水中の砂等の固形物はそのほとんどが浸透管３０の内周壁に堆積物として付着していることから、図４に示すように、例えばバキュームカー６０の真空引きパイプ６１を浸透管３０内に挿入して吸引することにより、容易に堆積物の除去を行うことができる。
【００２９】
図２は、本発明による浸透管付き側溝の他の態様であり、この浸透管付き側溝１０Ａでは、雨水流入管５０が、側溝２０への接続部５１から上方に向かう部分５２を有しない点でのみ、図１に示した浸透管付き側溝１０と異なっている。同じ部材には同じ符号を付して説明は省略する。この態様では、側溝２０内の水位レベルが、雨水流入管５０が側溝２０へ接続する接続部５１のレベルに達すると、それを超える雨水は、雨水流入管５０を通って浸透槽４０内に流入して浸透槽４０に貯留されるようになる。
【００３０】
図３は、本発明による浸透管付き側溝のさらに他の態様であり、この浸透管付き側溝１０Ｂでは、浸透管３０は雨水流入側が二重管構造となっており、外側の管３３は浸透孔３１（図３で図示を省略している）を備えるが、内側の管３４は周壁に浸透孔のないめくら管となっている。浸透管には周壁に複数の浸透孔を有する管が用いられるが、上記の態様では、二重管を構成する内側管は周壁に浸透孔のない管を用いる。この態様では、砂等を含んだ雨水をそのまま内側管３４の下端まで送り込むことができるので、浸透管３０の入り口部分の周壁に砂等が堆積するのを回避することができる。それにより、雨水中の砂等が浸透槽４０内に入り込むのを一層確実に阻止することができる。
【００３１】
図示しないが、本発明による浸透管付き側溝の好ましい態様において、前記浸透管３０および雨水流入管５０の雨水入り口、すなわち、雨水流入管５０が側溝２０に接続する接続部５１に、ビニール袋や落ち葉などの大きなゴミが入り込むのを防止する目的で、適宜のフィルタを取り付けるようにしてもよい。
【符号の説明】
【００３２】
１０、１０Ａ、１０Ｂ…浸透管付き側溝、
２０…側溝、
３０…浸透管、
３１…浸透管の周壁に形成した浸透孔、
３２…浸透管の雨水流入部としての開口部、
４０…浸透槽、
４１…貯水空間形成部材、
４６…透水性シート、
５０…雨水流入管、
５１…雨水流入管と側溝との接続部、
５２…雨水流入管の上方に向かう部分。
【図１】
2010185222.tif 000003
【図２】
2010185222.tif 000004
【図３】
2010185222.tif 000005
【図４】
2010185222.tif 000006
【図５】
2010185222.tif 000007